(57)【要約】【課題】ユーザにおける利便性を向上させることが可能な電子機器を提供する。【解決手段】ＴＶ装置１は、ＡＣ電源２が接続されるＡＣ電源接続部１１と、電源回路１３と、ＡＣ電源接続部１１と電源回路１３との間の経路上に配設された１次側電源スイッチ１２と、電源回路１３から供給される電力に基づいて所定の表示動作を行う表示部１４と、電源回路１３から供給される電力に基づいて表示部１４の動作を制御するマイコン１５と、ＡＣ電源接続部１１と１次側電源スイッチ１２との間の経路上の接続点Ｐ１とマイコン１５との間に配設され、１次側電源スイッチ１２がオフ状態のときにＡＣ電源２からＡＣ電源接続部１１を介して供給される電力を一時的に保持するためのコンデンサ１８Ｃを含む判別用回路１８とを備えている。【選択図】図１
2012099883.tif 000002
【特許請求の範囲】
【請求項１】
外部電源が接続される接続部と、
電源回路と、
前記接続部と前記電源回路との間の経路上に配設された１次側電源スイッチと、
前記電源回路から供給される電力に基づいて、所定の機能を発揮する動作を行う機能部と、
前記電源回路から供給される電力に基づいて、前記機能部の動作を制御する制御部と、
前記接続部と前記１次側電源スイッチとの間の経路上の接続点と、前記制御部との間に配設され、前記１次側電源スイッチがオフ状態のときに前記外部電源から前記接続部を介して供給される電力を一時的に保持するための容量素子を含む判別用回路と
を備えた電子機器。
【請求項２】
前記１次側電源スイッチがオフ状態からオン状態に遷移した直後に、前記容量素子に保持されている電力が、判別用信号として前記制御部へ出力される
請求項１に記載の電子機器。
【請求項３】
前記制御部は、
前記判別用回路から前記判別用信号が得られた場合には、前記機能部の動作を開始させ、
前記判別用回路から前記判別用信号が得られなかった場合には、前記機能部の動作を開始させない
請求項２に記載の電子機器。
【請求項４】
前記判別用回路は、前記接続点と前記容量素子の一端との間に互いに直列接続された整流素子および抵抗器を有し、
前記容量素子の一端と前記制御部との間に、前記判別用信号が出力される信号ラインが設けられている
請求項３に記載の電子機器。
【請求項５】
前記信号ライン上に、前記判別用回路側と前記制御部側とを電気的に分離するためのアイソレーション回路が設けられている
請求項４に記載の電子機器。
【請求項６】
外部からの遠隔制御信号を受信して前記制御部へ出力する受信部と、
前記機能部および前記制御部の動作をそれぞれ、起動もしくは停止するための主電源スイッチと
を更に備えた
請求項１ないし請求項５のいずれか１項に記載の電子機器。
【請求項７】
前記機能部が表示部であり、テレビ受像機として構成されている
請求項１ないし請求項５のいずれか１項に記載の電子機器。
【発明の詳細な説明】
【技術分野】
【０００１】
本発明は、電源回路の１次側（外部電源側）にスイッチ（１次側電源スイッチ）を備えた電子機器に関する。
【背景技術】
【０００２】
ＴＶ（Television）装置（テレビ受像機）等の電子機器では、その電源状態は一般に、起動状態（通常動作状態）、スタンバイ状態（リモコンオフ状態）、主電源オフ状態およびＡＣ電源オフ状態（外部電源オフ状態）に大別される。
【０００３】
これらのうち、スタンバイ状態および主電源オフ状態については、リモコン（リモートコントロール（遠隔制御）装置）上のスイッチや主電源スイッチに対する操作によって、ユーザ（使用者）が手軽（簡単）に電源状態の設定を行えるものの、待機電力を消費するというデメリットがある。一方、ＡＣ電源オフ状態では、そのような待機電力を消費しない（消費電力が生じない）ものの、ＡＣ電源（外部電源）から接続部（コンセント，差し込みプラグ）を外したりする必要があるため、ユーザにとっては電源状態の設定が非常に煩雑になってしまう。
【０００４】
そこで、昨今の電子機器では、内蔵される電源回路の１次側（上記した外部電源との接続部側）に、いわゆる「エコスイッチ」と呼ばれる電源スイッチ（１次側電源スイッチ）が設けられるようになっている（例えば、特許文献１参照）。この１次側電源スイッチを利用すれば、その開閉状態（オン状態およびオフ状態）によって、ＡＣ電源オフ状態と略同等の電源状態が、ユーザによるスイッチ操作のみで簡単に実現される。すなわち、リモコン上のスイッチや主電源スイッチに対する操作と同様の簡単な操作によって、電子機器の待機電力を大幅に削減する（消費電力をほぼ０（ゼロ）にする）ことが可能となる。
【先行技術文献】
【特許文献】
【０００５】
【特許文献１】特開２０００−１３９０３９号公報
【発明の概要】
【発明が解決しようとする課題】
【０００６】
ところで、このような１次側電源スイッチのユーザによる使用方法（１次側電源スイッチのオフ状態への状態遷移の手法）としては、例えば以下のものが挙げられる。まず、電子機器の起動状態のとき（例えばテレビの視聴時）に１次側電源スイッチをオフ状態にする、という使用方法が挙げられる。すなわち、起動状態（通常動作状態）から１次側電源スイッチのオフ状態（１次側電源スイッチオフ状態）への状態遷移を行う、というものである。また、スタンバイ状態（リモコンオフ状態）のときに１次側電源スイッチをオフ状態にする、すなわち、スタンバイ状態から１次側電源スイッチオフ状態への状態遷移を行う、という使用方法も考えられる。
【０００７】
ここで、一般にＴＶ装置等の電子機器では、内蔵されるマイコン（マイクロコンピュータ）等において、電源がオフ状態に設定される前の直近（最後）の電源状態が記憶（保持）されるようになっている。そのため、上記した前者（起動状態から１次側電源スイッチオフ状態への状態遷移）の場合、その後に１次側電源スイッチを再びオン状態に設定すれば、電子機器が起動状態に復帰する（例えば、テレビの視聴状態に復帰する）ことになる。一方で、後者（スタンバイ状態から１次側電源スイッチオフ状態への状態遷移）の場合、その後に１次側電源スイッチを再びオン状態に設定しても、それだけでは電子機器が起動状態には復帰しない。すなわち、１次側電源スイッチに加えてリモコン上のスイッチもオン状態に設定しないと、電子機器が起動状態には復帰しないのである。
【０００８】
しかしながら、ユーザにとって望ましい（利便性が良い）のは、前者および後者のいずれの場合であっても、１次側電源スイッチをオフ状態から再びオン状態に設定した際には電子機器が起動状態に復帰する、という動作である。そうでないと、上記したように、１次側電源オフ状態の直近の電源状態によって異なる動作が生じるため、ユーザにとってもそれに応じた操作を強いられるからである。そこで、上記したように、前者および後者のいずれの場合であっても、１次側電源スイッチをオフ状態から再びオン状態に設定した際には電子機器が起動状態に復帰するように、マイコンが制御する手法が考えられる。
【０００９】
ところが、従来のマイコンでは、消費電力がほぼ０となっていた電源状態が、１次側電源スイッチオフ状態であったのか、あるいは前述したＡＣ電源オフ状態であったのか、を判別することができない。したがって、電源状態の種類によらず（１次側電源スイッチオフ状態およびＡＣ電源オフ状態のいずれであったとしても）、消費電力が０ではなくなったときに、マイコンによって無条件に起動状態となるように制御する、という仕組みを導入せざるを得ないことになる。
【００１０】
しかしながら、マイコンにおいてそのような制御手法を導入した場合、１次側電源スイッチのオフ状態からオン状態への操作直後だけでなく、ユーザにとって望ましくない場合にも、電子機器が起動状態に設定されてしまうことが生じ得る。具体的には、ＡＣ電源を接続部に接続した直後や、例えばスタンバイ状態のときに停電が発生して復旧した直後などにも、マイコンによって起動状態に設定されてしまい、ユーザにおける利便性が損なわれてしまうことになる。
【００１１】
本発明はかかる問題点に鑑みてなされたもので、その目的は、ユーザにおける利便性を向上させることが可能な電子機器を提供することにある。
【課題を解決するための手段】
【００１２】
本発明の電子機器は、外部電源が接続される接続部と、電源回路と、接続部と電源回路との間の経路上に配設された１次側電源スイッチと、電源回路から供給される電力に基づいて所定の機能を発揮する動作を行う機能部と、電源回路から供給される電力に基づいて機能部の動作を制御する制御部と、接続部と１次側電源スイッチとの間の経路上の接続点と制御部との間に配設され、１次側電源スイッチがオフ状態のときに外部電源から接続部を介して供給される電力を一時的に保持するための容量素子を含む判別用回路とを備えたものである。
【００１３】
本発明の電子機器では、外部電源から接続部および１次側電源スイッチを介して電源回路に電力が供給され、この電源回路から供給される電力に基づいて、機能部が所定の機能を発揮する動作を行うと共に、制御部がこの機能部の動作を制御する。この際、外部電源からの電力供給がなされなくなるか、あるいは１次側電源スイッチがオフ状態になると、電源回路、機能部および制御部の動作がそれぞれ停止し、待機電力が大幅に低減する（消費電力がほぼ０となる）。ここで、判別用回路内の容量素子には、１次側電源スイッチがオフ状態のときには、外部電源から接続部を介して供給される電力が一時的に保持される一方、外部電源からの電力供給自体がなくなったときには、そのような電力は保持されない。したがって、そのような判別用回路内の容量素子への電力保持の有無に応じて、１次側電源スイッチがオフ状態になったのか、あるいは外部電源からの電力供給がなくなったのかが、判別可能となる。
【発明の効果】
【００１４】
本発明の電子機器によれば、接続部と電源回路との間の経路上に１次側電源スイッチを設けると共に、１次側電源スイッチがオフ状態のときに外部電源から接続部を介して供給される電力を一時的に保持するための容量素子を含む判別用回路を設けるようにしたので、判別用回路内の容量素子への電力保持の有無に応じて、１次側電源スイッチがオフ状態になったのか、あるいは外部電源からの電力供給がなくなったのかを判別することができるようになる。よって、ユーザにとって望ましくない場合においても電子機器が起動状態に設定されてしまうことなどを回避することができ、ユーザにおける利便性を向上させることが可能となる。
【図面の簡単な説明】
【００１５】
【図１】本発明の一実施の形態に係る電子機器（ＴＶ装置）の概略構成を表すブロック図である。
【図２】図１に示したＴＶ装置における起動状態を表すブロック図である。
【図３】図１に示したＴＶ装置におけるスタンバイ状態を表すブロック図である。
【図４】図１に示したＴＶ装置における主電源オフ状態を表すブロック図である。
【図５】図１に示したＴＶ装置におけるＡＣ電源オフ状態を表すブロック図である。
【図６】図１に示したＴＶ装置における１次側電源スイッチオフ状態を表すブロック図である。
【図７】比較例に係る電子機器（ＴＶ装置）の概略構成を表すブロック図である。
【図８】図７に示したＴＶ装置における起動状態を表すブロック図である。
【図９】図７に示したＴＶ装置におけるスタンバイ状態を表すブロック図である。
【図１０】図７に示したＴＶ装置における１次側電源スイッチオフ状態およびＡＣ電源オフ状態を表すブロック図である。
【図１１】図１に示したＴＶ装置における１次側電源スイッチオフ状態から起動状態への遷移直後の状態を表すブロック図である。
【図１２】図１に示したマイコンの制御動作の一例を表す流れ図である。
【発明を実施するための形態】
【００１６】
以下、本発明の実施の形態について、図面を参照して詳細に説明する。なお、説明は以下の順序で行う。
１．実施の形態（１次側電源スイッチを備えたＴＶ装置において判別用回路を設けた例）
２．変形例
【００１７】
＜実施の形態＞
［ＴＶ装置１の概略構成］
図１は、本発明の一実施の形態に係る電子機器（ＴＶ装置１）の概略構成をブロック図で表わしたものである。このＴＶ装置１は、ＡＣ電源２（外部電源，交流電源，商用電源）からの電力供給に基づいて、ＴＶ機能を発揮する動作（テレビジョン信号の受信および出力）を行う電子機器（テレビ受像機）である。ＴＶ装置１は、ＡＣ電源接続部１１、１次側電源スイッチ１２、電源回路１３、表示部１４、マイコン（マイクロコンピュータ）１５、主電源スイッチ１６、リモコン信号受信部１７、判別用回路１８およびアイソレーション回路１９を備えている。なお、ＴＶ機能を実現するためのチューナ等については、ここでは図示を省略している（後述する比較例についても同様）。
【００１８】
ＡＣ電源接続部１１は、外部電源としてのＡＣ電源２が接続される（ＡＣ電源２を接続するための）接続部であり、このＡＣ電源接続部１１を介してＡＣ電源２からＴＶ装置１内へ電力供給がなされるようになっている。このようなＡＣ電源接続部１１は、コンセント（差し込みプラグ）を用いて構成されている。
【００１９】
１次側電源スイッチ１２は、ＡＣ電源接続部１１と電源回路１３との間の経路（接続ラインＬ１１，Ｌ１２）上に配設されており（電源回路１３の１次側に配設されており）、いわゆる「エコスイッチ」と呼ばれる電源スイッチである。この１次側電源スイッチ１２は、ユーザによる操作に応じてそのオン状態（閉状態）とオフ状態（開状態）とが設定可能となっている。これにより、ＡＣ電源２からＡＣ電源接続部１１を介して供給される電力を電源回路１３側へ供給するのか否か（後述する１次側電源スイッチオフ状態に設定するのか否か）が、ユーザによって任意に設定可能となっている。
【００２０】
電源回路１３は、ＡＣ電源２からＡＣ電源接続部１１および１次側電源スイッチ１２を介して（１次側から）供給される電力（交流電力）に基づいて、表示部１４およびマイコン１５（２次側）へ電力（直流電力）を供給する電源回路である。このような電源回路１３としては、例えば種々の方式のＡＣ−ＤＣコンバータ等を用いることが可能である。
【００２１】
表示部１４は、電源回路１３から供給される電力（直流電力）に基づいて、所定の機能を発揮する動作（ここでは表示動作）を行う機能部である。具体的には、図示しないチューザを用いて受信したテレビジョン信号に基づく映像表示を行うようになっている。この表示部１４は、例えば、ＬＣＤ（Liquid Crystal Display）やＰＤＰ（Plasma Display Panel）、有機ＥＬ（Electro Luminescence）ディスプレイ等により構成されている。
【００２２】
マイコン１５は、電源回路１３から供給される電力（直流電力）に基づいて、ＴＶ装置１全体の動作（表示部１４や電源回路１３の動作等）を制御するもの（制御部）である。具体的には、以下説明する主電源スイッチ１６への操作や、リモコン信号受信部１７から入力されるリモコン信号（遠隔制御信号）、後述する判別用回路１８における判別結果等に応じて、これらの動作を制御するようになっている。なお、このマイコン１５による制御動作の詳細については、後述する。
【００２３】
主電源スイッチ１６は、表示部１４およびマイコン１５の動作をそれぞれ、起動（開始）もしくは停止するための電源スイッチである。この主電源スイッチ１６もまた、ユーザによる操作に応じて、そのオン状態（起動状態）とオフ状態（停止状態）とが設定可能となっている。これにより、後述する主電源オフ状態（表示部１４およびマイコン１５の動作がそれぞれ停止している電源状態）に設定するのか否かが、ユーザによって任意に設定可能となっている。
【００２４】
リモコン信号受信部１７は、外部からのリモコン信号Ｌｒ（遠隔制御信号）を受信してマイコン１５へと出力する受信部（受光部）である。これにより、図示しないリモートコントロール装置（リモコン，遠隔制御装置）上の各種スイッチ（ボタン）に対するユーザの操作に応じてこのリモコンから発せられたリモコン信号Ｌｒが、ＴＶ装置１内へ入力されるようになっている。そしてその結果、後述するスタンバイ状態（リモコンオフ状態；表示部１４の動作が停止している電源状態）に設定するのか否かが、ユーザによって任意に設定可能となっている。
【００２５】
判別用回路１８は、ＡＣ電源接続部１１と１次側電源スイッチ１２との間の経路（ここでは接続ラインＬ１１）上の接続点Ｐ１と、マイコン１５との間に配設されている。この判別用回路１８は、ダイオード（整流素子）１８Ｄ、抵抗器１８Ｒおよびコンデンサ（容量素子）１８Ｃを有している。これらのうち、コンデンサ１８Ｃは、１次側電源スイッチ１２がオフ状態のとき（後述する１次側電源スイッチオフ状態のとき）にＡＣ電源２からＡＣ電源接続部１１を介して供給される電力を、一時的に保持する（電荷を一時的に蓄積する）ための容量素子である。接続点Ｐ１とコンデンサ１８Ｃの一端との間には、ダイオード１８Ｄおよび抵抗器１８Ｒが互いに直列接続され、コンデンサ１８Ｃの他端は接地されている。具体的には、ダイオード１８Ｄのアノードは接続点Ｐ１に接続され、ダイオード１８Ｄのカソードは抵抗器１８Ｒの一端に接続され、抵抗器１８Ｒの他端がコンデンサ１８Ｃの一端に接続されている。すなわち、判別用回路１８では、接続点Ｐ１と接地（グランド）との間で、ダイオード１８Ｄ、抵抗器１８Ｒおよびコンデンサ１８Ｃが、この順で互いに直列接続されている。また、コンデンサ１８Ｃの一端（抵抗器１８Ｒの他端）とマイコン１５との間には、アイソレーション回路１９を介して、後述する判別用信号が出力される信号ラインＬ３，Ｌ４が設けられている（接続されている）。このような構成により判別用回路１８では、後述する１次側電源スイッチオフ状態とＡＣ電源オフ状態（ＡＣ電源２から電源供給がなされていない状態）との間の電源状態を判別する役割を担うようになっている。なお、この判別用回路１８における詳細な作用については後述する。
【００２６】
アイソレーション回路１９は、上記した信号ライン上（信号ラインＬ３，Ｌ４の間）に配設されており、判別用回路１８側（信号ラインＬ３側，１次側）とマイコン１５側（信号ラインＬ４側，２次側）とを、電気的に分離（絶縁）するための回路である。
【００２７】
［ＴＶ装置１の作用・効果］
（１．基本動作）
このＴＶ装置１では、ＡＣ電源２からＡＣ電源接続部１１および１次側電源スイッチ１２を介して、電源回路１３に電力（交流電力）が供給される。そして、この電源回路１３から供給される電力（直流電力）に基づいて、表示部１４が所定の表示動作（テレビジョン信号の出力動作）を行うと共に、マイコン１５がこの表示部１４の表示動作等を制御する。
【００２８】
（２．各電源状態について）
ところで、このようなＴＶ装置１の電源状態は、主に、以下説明する起動状態（通常動作状態）、スタンバイ状態（リモコンオフ状態）、主電源オフ状態およびＡＣ電源オフ状態（外部電源オフ状態）に大別される。なお、以下説明する各電源状態では、経路（接続ラインや信号ライン等）上で太線および矢印で示されている箇所が、電源が供給されている経路を表す。また、電源回路１３、表示部１４およびマイコン１５の各機能ブロックについては、実線で示したブロックは起動状態（動作開始状態）であることを表し、破線で示したブロックは動作停止状態であることを表している。
【００２９】
まず、図２に示した起動状態は、上記した基本動作がなされている電源状態である。すなわち、起動状態では、図中に示したように、ＡＣ電源２からＡＣ電源接続部１１および１次側電源スイッチ１２を介して電源回路１３に電力が供給され、この電源回路１３から供給される電力に基づいて表示部１４およびマイコン１５が所定の動作を行う。このとき、１次側電源スイッチ１２は、オン状態（閉状態）となっている。
【００３０】
次いで、図３に示したスタンバイ状態は、リモコン信号受信部１７においてこのスタンバイ状態を設定するためのリモコン信号Ｌｒを受信したのち、マイコン１５によって表示部１４の動作を停止させる（スタンバイ状態に設定する）制御を行った電源状態である。すなわち、スタンバイ状態では、図中に示したように、ＡＣ電源２からＡＣ電源接続部１１および１次側電源スイッチ１２を介して電源回路１３に電力が供給され、この電源回路１３から供給される電力に基づいてマイコン１５が所定の動作を行う。なお、このスタンバイ状態においても、１次側電源スイッチ１２はオン状態（閉状態）となっている。
【００３１】
また、図４に示した主電源オフ状態は、主電源スイッチ１６に対するユーザの操作によってこの主電源オフ状態が設定されることにより、表示部１４およびマイコン１５の動作が停止された電源状態である。すなわち、主電源オフ状態では、図中に示したように、ＡＣ電源２からＡＣ電源接続部１１および１次側電源スイッチ１２を介して電源回路１３に電力が供給されるものの、表示部１４およびマイコン１５がそれぞれ動作停止状態となっている。なお、この主電源オフ状態においても、１次側電源スイッチ１２はオン状態（閉状態）となっている。
【００３２】
更に、図５に示したＡＣ電源オフ状態は、ＡＣ電源接続部１１とＡＣ電源２との間が未接続状態となったり（差し込みプラグ等がＡＣ電源２から外されたり）、例えば停電状態となったりすることにより、ＡＣ電源接続部１１に対してＡＣ電源２からの電力供給がなされていない電源状態である。すなわち、ＡＣ電源オフ状態では、図中に示したように、ＡＣ電源２からＡＣ電源接続部１１（および電源回路１３）に対して電力供給がなされておらず、電源回路１３、表示部１４およびマイコン１５がそれぞれ動作停止状態となっている。なお、このＡＣ電源オフ状態においても、１次側電源スイッチ１２はオン状態（閉状態）となっている。
【００３３】
ここで、上記した電源状態のうち、スタンバイ状態および主電源オフ状態については、リモコン上のスイッチ（図示せず）や主電源スイッチ１６に対する操作によって、ユーザが手軽（簡単）に電源状態の設定を行えるものの、待機電力を消費するというデメリットがある。一方、ＡＣ電源オフ状態では、そのような待機電力を消費しない（消費電力が生じない）ものの、ＡＣ電源２からＡＣ電源接続部１１を外したりする必要があるため、ユーザにとっては電源状態の設定が非常に煩雑になってしまう。
【００３４】
これに対して、図６に示した１次側電源スイッチオフ状態では、ユーザの操作によって、１次側電源スイッチ１２がオフ状態（開状態）となる。したがって、この１次側電源スイッチオフ状態では、図中に示したように、ＡＣ電源２からＡＣ電源接続部１１に対して電力供給がなされているものの、電源回路１３に対しては電力供給がなされなくなる。その結果、上記したＡＣ電源オフ状態と同様に、電源回路１３、表示部１４およびマイコン１５がそれぞれ動作停止状態となる。
【００３５】
このようにして、１次側電源スイッチ１２を利用すれば、その開閉状態（オン状態およびオフ状態）によって、ＡＣ電源オフ状態と略同等の電源状態が、ユーザによるスイッチ操作のみで簡単に実現される。すなわち、リモコン上のスイッチ（図示せず）や主電源スイッチ１６に対する操作と同様の簡単な操作によって、ＴＶ装置１の待機電力を大幅に削減する（消費電力をほぼ０（ゼロ）にする）ことが可能となる。
【００３６】
（３．特徴的部分の作用）
次に、本発明の特徴的部分の作用について、比較例と比較しつつ詳細に説明する。
【００３７】
（３−１．比較例）
図７は、比較例に係る電子機器（ＴＶ装置１０１）の概略構成をブロック図で表わしたものである。この比較例に係るＴＶ装置１０１は、ＡＣ電源接続部１１、１次側電源スイッチ１２、電源回路１３、表示部１４、マイコン１０５、主電源スイッチ１６およびリモコン信号受信部１７を備えている。すなわち、本実施の形態のＴＶ装置１において、判別用回路１８およびアイソレーション回路１９を省く（設けないようにする）と共に、マイコン１５の代わりに後述するマイコン１０５を設けたものであり、他の構成は同様となっている。
【００３８】
この比較例のＴＶ装置１０１では、基本動作および電源状態の概要は、基本的には上記した本実施の形態のＴＶ装置１のものと同様となっている。すなわち、起動状態およびスタンバイ状態はそれぞれ、図８および図９に示したようになっている。また、１次側電源スイッチオフ状態およびＡＣ電源オフ状態はそれぞれ、図１０（Ａ），（Ｂ）に示したようになっている。なお、図示はしていないが主電源オフ状態についても、図４に示した本実施の形態の主電源オフ状態と基本的には同様の状態となっている。
【００３９】
ところで、これまで説明した１次側電源スイッチ１２のユーザによる使用方法（１次側電源スイッチオフ状態への状態遷移の手法）としては、例えば以下のものが挙げられる。まず、ＴＶ装置１またはＴＶ装置１０１の起動状態のとき（テレビの視聴時）に１次側電源スイッチ１２をオフ状態にする、という使用方法が挙げられる。すなわち、起動状態から１次側電源スイッチオフ状態への状態遷移（電源状態の遷移）を行う、というものである。また、スタンバイ状態のときに１次側電源スイッチをオフ状態にする、すなわち、スタンバイ状態から１次側電源スイッチオフ状態への状態遷移を行う、という使用方法も考えられる。
【００４０】
ここで、一般にＴＶ装置等の電子機器では、内蔵されるマイコン等において、電源がオフ状態に設定される前の直近（最後）の電源状態が記憶（保持）されるようになっている。そのため、上記した前者（起動状態から１次側電源スイッチオフ状態への状態遷移）の場合、その後に１次側電源スイッチを再びオン状態に設定すれば、ＴＶ装置が起動状態に復帰する（テレビの視聴状態に復帰する）ことになる。一方で、後者（スタンバイ状態から１次側電源スイッチオフ状態への状態遷移）の場合、その後に１次側電源スイッチを再びオン状態に設定しても、それだけではＴＶ装置が起動状態には復帰しない。すなわち、１次側電源スイッチに加えてリモコン上のスイッチもオン状態に設定しないと、ＴＶ装置が起動状態には復帰しないことになる。
【００４１】
しかしながら、ユーザにとって望ましい（利便性が良い）のは、前者および後者のいずれの場合であっても、１次側電源スイッチをオフ状態から再びオン状態に設定した際にはＴＶ装置が起動状態に復帰する、という動作である。そうでないと、上記したように、１次側電源オフ状態の直近の電源状態によって異なる動作が生じるため、ユーザにとってもそれに応じた操作を強いられるからである。
【００４２】
そこで、比較例のＴＶ装置１０１では、前者および後者のいずれの場合であっても、１次側電源スイッチ１２をオフ状態から再びオン状態に設定した際にはＴＶ装置１０１が起動状態に復帰するように、マイコン１０５が制御するようになっている。
【００４３】
ところが、この比較例のマイコン１０５では、後述する本実施の形態のマイコン１５とは異なり、消費電力がほぼ０となっていた電源状態が１次側電源スイッチオフ状態であったのか、あるいはＡＣ電源オフ状態であったのか、を判別することができない。したがって、比較例のＴＶ装置１０１では、電源状態の種類によらず（１次側電源スイッチオフ状態およびＡＣ電源オフ状態のいずれであったとしても）、消費電力が０ではなくなったときに、マイコン１０５によって無条件に起動状態となるように制御している。
【００４４】
しかしながら、マイコン１０５においてそのような制御手法を導入すると、１次側電源スイッチ１２のオフ状態からオン状態への操作直後だけでなく、ユーザにとって望ましくない場合にも、ＴＶ装置１０１が起動状態に設定されてしまうことが生じ得る。具体的には、ＡＣ電源２をＡＣ電源接続部１１に接続した直後や、例えばスタンバイ状態のときに停電が発生して復旧した直後などにも、マイコン１０５によって起動状態に設定されてしまい、ユーザにおける利便性が損なわれてしまうことになる。
【００４５】
（３−２．本実施の形態）
これに対して本実施の形態のＴＶ装置１では、上記比較例のＴＶ装置１０１とは異なり、ＡＣ電源接続部１１と１次側電源スイッチ１２との間の経路上の接続点Ｐ１と、マイコン１５との間に、判別用回路１８が設けられている。そして、この判別用回路１８内には、１次側電源スイッチ１２がオフ状態のとき（１次側電源スイッチオフ状態のとき）にＡＣ電源２からＡＣ電源接続部１１を介して供給される電力を一時的に保持する（電荷を一時的に蓄積する）ためのコンデンサ１８Ｃが設けられている。これによりＴＶ装置１では、判別用回路１８において、１次側電源スイッチオフ状態とＡＣ電源オフ状態との間の電源状態を判別する役割を担うようになっている。
【００４６】
具体的には、まず図６に示したように、１次側電源スイッチ１２がオフ状態のとき（１次側電源スイッチオフ状態のとき）には、判別用回路１８内のコンデンサ１８Ｃに対し、ＡＣ電源２からＡＣ電源接続部１１を介して供給される電力が一時的に保持される。換言すると、図中に示した電流経路Ｉ１によって、ＡＣ電源２から供給される電力に基づく充電動作がコンデンサ１８Ｃに対して行われる。なお、このような充電動作は所定時間後に飽和状態となり、その後は判別用回路１８全体として電流がほとんど流れなくなる。
【００４７】
次いで、図１１に示したように、１次側電源スイッチ１２がオフ状態からオン状態に遷移した直後（１次側電源スイッチオフ状態から起動状態への遷移直後）では、上記のようにしてコンデンサ１８Ｃに保持されている電力が、判別用信号としてマイコン１５へ出力される。換言すると、図中に示した電流経路Ｉ２１，Ｉ２２に沿って、コンデンサ１８Ｃに蓄積されている電荷が判別用信号として、信号ラインＬ３，Ｌ４上をアイソレーション回路１９を介してマイコン１５へ伝達される。
【００４８】
一方、図５に示したように、ＡＣ電源２からの電力供給自体がなくなったとき（ＡＣ電源オフ状態のとき）には、判別用回路１８内のコンデンサ１８Ｃに対し、上記のような電力の一時的保持（充電動作）はなされない。また、図２〜図４に示した起動状態、スタンバイ状態および主電源オフ状態においても、これらの電源状態ではＡＣ電源２から電力供給がなされているものの、抵抗器１８Ｒの役割によって判別用回路１８内に電流が流れないため、充電動作がなされない。すなわち、これらの各電源状態においても、程度は異なるものの、コンデンサ１８Ｃに対して電力の一時的保持（充電動作）はなされない。したがって、例えば、ＡＣ電源２をＡＣ電源接続部１１に接続した直後や、スタンバイ状態のときに停電が発生して復旧した直後などでは、上記した１次側電源スイッチオフ状態から起動状態への遷移直後とは異なり、判別用信号がマイコン１５へ出力されないことになる。
【００４９】
このようにして、判別用回路１８内のコンデンサ１８Ｃへの電力保持（充電）の有無に応じて、判別用信号のマイコン１５への出力の有無も決定されるため、１次側電源スイッチオフ状態とＡＣ電源オフ状態との間の電源状態の判別が可能となる。すなわち、１次側電源スイッチ１２がオフ状態になったのか（１次側電源スイッチオフ状態なのか）、あるいはＡＣ電源２からの電力供給がなくなったのか（ＡＣ電源オフ状態なのか）、が判別可能となる。よって、上記比較例とは異なり、ユーザにとって望ましくない場合（上記したように、ＡＣ電源２をＡＣ電源接続部１１に接続した直後や、スタンバイ状態のときに停電が発生して復旧した直後など）においてもマイコン１５によってＴＶ装置１が起動状態に設定されてしまうことが回避される。
【００５０】
具体的には、このときマイコン１５は、例えば図１２に示したようにして表示部１４の制御動作を行うことにより、ユーザにとって望ましくないＴＶ装置１の動作を回避している。すなわち、まずマイコン１５は、判別用回路１８から判別用信号が得られたか否か（出力されたか否か）を判定する（ステップＳ１１）。そして、判別用信号が得られた判定した場合には（ステップＳ１１：Ｙ）、マイコン１５は、表示部１４の動作（表示動作）を開始させる制御を行う（ステップＳ１２）。一方、判別用信号が得られなかったと判定した場合には（ステップＳ１１：Ｎ）、マイコン１５は、表示部１４の動作（表示動作）を開始させない制御を行う（ステップＳ１３）。
【００５１】
以上のように本実施の形態では、ＡＣ電源接続部１１と電源回路１３との間の経路上に１次側電源スイッチ１２を設けると共に、この１次側電源スイッチ１２がオフ状態のときにＡＣ電源２からＡＣ電源接続部１１を介して供給される電力を一時的に保持するためのコンデンサ１８Ｃを含む判別用回路１８を設けるようにしたので、この判別用回路１８内のコンデンサ１８Ｃへの電力保持の有無に応じて、１次側電源スイッチ１２がオフ状態になったのか、あるいはＡＣ電源２からの電力供給がなくなったのかを判別することができるようになる。よって、ユーザにとって望ましくない場合においてもＴＶ装置１が起動状態に設定されてしまうことなどを回避することができ、ユーザにおける利便性を向上させることが可能となる。
【００５２】
＜変形例＞
以上、実施の形態を挙げて本発明を説明したが、本発明はこの実施の形態に限定されず、種々の変形が可能である。
【００５３】
例えば、判別用回路の回路構成は、上記実施の形態で説明したものには限られず、他の回路構成としてもよい。例えば、ダイオード（整流素子）および抵抗器については、場合によっては判別用回路内に設けられていなくてもよい。
【００５４】
また、上記実施の形態では、本発明の電子機器の一例としてＴＶ装置（テレビ受像機）を挙げて説明したが、本発明が適用されるのはＴＶ装置には限られない。すなわち、本発明は、１次側電源スイッチを利用した同様の手法を採用している全ての電子機器に対して適用することが可能である。
【符号の説明】
【００５５】
１…ＴＶ装置、１１…ＡＣ電源接続部、１２…１次側電源スイッチ、１３…電源回路、１４…表示部、１５…マイコン、１６…主電源スイッチ、１７…リモコン信号受信部、１８…判別用回路、１８Ｄ…ダイオード、１８Ｒ…抵抗器、１８Ｃ…コンデンサ、１９…アイソレーション回路、２…ＡＣ電源、Ｌ１１，Ｌ１２，Ｌ２…接続ライン、Ｌ３，Ｌ４…信号ライン、Ｌｒ…リモコン信号、Ｐ１…接続点、Ｉ１，Ｉ２１，Ｉ２２…電流経路。
【図１】
2012099883.tif 000003
【図２】
2012099883.tif 000004
【図３】
2012099883.tif 000005
【図４】
2012099883.tif 000006
【図５】
2012099883.tif 000007
【図６】
2012099883.tif 000008
【図７】
2012099883.tif 000009
【図８】
2012099883.tif 000010
【図９】
2012099883.tif 000011
【図１０】
2012099883.tif 000012
【図１１】
2012099883.tif 000013
【図１２】
2012099883.tif 000014